(57)【要約】【課題】外壁用フレームの輸送効率を好適に向上させることができる建物の外壁用フレームの積載方法及び製造効率を好適に向上することができる建物の製造方法の提供すること。【解決手段】建物１０の外壁１１を構成する外壁フレーム２２を上下に重なるようにして複数積載する場合に、載置された下側の外壁フレーム２２Ａの２つの横フレーム部材２７Ａに同横フレーム部材２７Ａよりも上方に延出するようにして治具５０Ａを２つずつ固定し、それら固定された治具５０Ａの２つに跨るように且つ横フレーム部材２７Ａに沿うようにして盤木６０Ａを搭載し、それら各盤木６０Ａに横フレーム部材２７Ｂが上方から当接するようにして上側の外壁フレーム２２Ｂを積載する。【選択図】      図３
2015132057.tif 000002
【特許請求の範囲】
【請求項１】
建物の外壁を構成する外壁用フレームを上下に重なるようにして複数積載する外壁用フレームの積載方法であって、
載置された第１外壁用フレームに当該第１外壁用フレームよりも上方に延出するようにして第１治具を複数固定し、
それら固定された第１治具の少なくとも２つに跨るようにして第２治具を搭載し、
前記第２治具が前記第１治具によって支持された状態にて、当該第２治具に上方から当接するようにして第２外壁用フレームを積載する外壁用フレームの積載方法。
【請求項２】
前記外壁用フレームは、建物に組み付けられた状態にて縦方向に延びる一組の縦フレーム部と、それら縦フレーム部を繋ぐ複数の横フレーム部とを有してなり、
前記第１治具を前記横フレーム部の２つに複数ずつ固定し、それら横フレームに沿うようにして前記第２治具を各々配置することを特徴とする請求項１に記載の外壁用フレームの積載方法。
【請求項３】
前記第１外壁用フレームの横幅は前記第２外壁用フレームの横幅よりも小さくなっており、
前記第１外壁用フレームを横並びとなるようにして複数配置し、
それら第１外壁用フレームの各々に第１治具を固定し、それら第１治具に跨るようにして前記第２治具を搭載することを特徴とする請求項２に記載の外壁用フレームの積載方法。
【請求項４】
前記横フレーム部は、前記第２治具への搭載状態にて下面となる平面部と、前記平面部と交差する方向に突出する突出部とを有してなり、
前記第２外壁用フレームの前記平面部を前記第２治具に載せた状態では、前記第２治具と前記突出部とが引っ掛かることにより前記縦フレームの長手方向における前記第２外壁用フレームの変位が規制されることを特徴とする請求項２又は請求項３に記載の外壁用フレームの積載方法。
【請求項５】
前記第１外壁用フレームには、建物躯体に連結される連結部が設けられており、
前記連結部が前記第１治具の固定対象となっていることを特徴とする請求項１乃至請求項４のいずれか１つに記載の外壁用フレームの積載方法。
【請求項６】
前記第１治具は、前記第１外壁用フレームに固定されることにより当該第１外壁用フレームよりも上方に延出した状態となる固定部と、前記固定部における前記延出している部分と交差する方向に延び、前記第２治具を支持する支持部とを有し、
前記第１治具を前記第１外壁用フレームに固定する場合に、当該第１治具の前記支持部が前記固定部よりも当該第１外壁用フレームの内側に位置するようにして前記第１外壁用フレームの外側から前記固定部を固定することを特徴とする請求項１乃至請求項５のいずれか１つに記載の外壁用フレームの積載方法。
【請求項７】
前記支持部において前記第２治具が搭載される側とは反対側となる部分が前記第１外壁用フレームに当接するようにして、前記第１治具を前記第１外壁用フレームに固定することを特徴とする請求項６に記載の外壁用フレームの積載方法。
【請求項８】
３段以上に積層された前記外壁用フレームのうち中間位置の前記外壁用フレームにおいて、当該外壁用フレームの縦横何れかのフレーム部を挟んで下側に前記第２治具が設けられているとともに、上側に前記第２治具の支持部及び前記第２治具が設けられ、それらが下から、前記第２治具、前記外壁用フレームのフレーム部、前記第１治具の支持部、前記第２治具の順に上下に並び、且つ上下となる部材同士が互いに当接した状態となるように配置することを特徴とする請求項１乃至請求項７のいずれか１つに記載の外壁用フレームの積載方法。
【請求項９】
前記第１治具には、同第１治具に搭載された第２治具に係合する係合部が形成され、当該係合部にり少なくとも当該第２治具の搭載対象となっている第１治具の並設方向と交差する方向への前記第２治具の変位が規制される構成となっており、
前記第２治具を前記第１治具に搭載する場合には、当該第２治具が前記第１治具の係合部に係合するようにして配設することを特徴とする請求項１乃至請求項８のいずれか１つに記載の外壁用フレームの積載方法。
【請求項１０】
工場にて前記外壁用フレームを製造する製造工程と、
前記積載方法により積載された複数の外壁用フレームを施工現場へ輸送する輸送工程と、
前記施工現場に輸送された外壁用フレームを建物躯体に組み付ける組付工程と
を有していることを特徴とする請求項１乃至請求項９のいずれか１つに記載の外壁用フレームの積載方法を利用した建物の製造方法。
【発明の詳細な説明】
【技術分野】
【０００１】
本発明は、建物の外壁用フレームの積載方法及び建物の製造方法に関する。
【背景技術】
【０００２】
住宅等の建物には、工場で製造された外壁用フレームをトラック等の輸送手段によって施工現場へ輸送した後に、当該外壁用フレームを施工現場にて建物躯体への組み付ける技術が提案されている（例えば特許文献１参照）。予め複数のフレーム部材を組み合わせて外壁用フレームを形成しておくことにより、施工現場での作業の簡略化や施工期間の短縮等が実現できる。このような手法は、施工現場にて外壁用フレームを形成する場合と比較して、建物の製造効率の向上する上で有利である。
【先行技術文献】
【特許文献】
【０００３】
【特許文献１】特開平９−２４２３３８号公報
【発明の概要】
【発明が解決しようとする課題】
【０００４】
例えば、建物を構成する外壁については、工場で製造された外壁面材及び外壁用フレームをトラック等によって施工現場へ輸送し、両者を施工現場にて組み合わせる。サイズ及び重量が大きい外壁を複数の外壁面材及び外壁用フレームに分割して設け、それらを施工現場にて組み合わせる構成とすることにより、輸送条件（例えばサイズ）等に係る制約を好適に回避できる。
【０００５】
ここで、外壁用フレームについては、その固定対象等に応じてサイズが様々になり得るだけでなく、強度担保等の理由からその形状（断面）についても平板状の外壁面材とは異なり複雑になる。これらの事由は、外壁用フレームを重ね合わせるようにして積み上げる（積載する）上で妨げとなる。一方、このような事情に配慮して収容棚等のストッカに外壁用フレームを複数収容した状態で輸送しようとすれば、収容棚の大きさ等に起因した各種制約（例えば輸送可能なサイズや数に係る制約等）が強くなる。このように、外壁用フレームの外壁用フレームの積載方法には輸送効率を向上する上で、更には建物の製造効率を向上させる上で未だ改善の余地がある。
【０００６】
本発明は、上記例示した事情等に鑑みてなされたものであり、外壁用フレームの輸送効率を好適に向上させることができる建物の外壁用フレームの積載方法及び製造効率を好適に向上することができる建物の製造方法の提供を目的とするものである。
【課題を解決するための手段】
【０００７】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００８】
手段１．建物（建物１０）の外壁（外壁１１）を構成する外壁用フレーム（外壁フレーム２２）を上下に重なるようにして複数積載する外壁用フレームの積載方法であって、
載置された第１外壁用フレーム（例えば下側の外壁フレーム２２）に当該第１外壁用フレームよりも上方に延出するようにして第１治具（治具５０）を複数固定し、
それら固定された第１治具の少なくとも２つに跨るようにして第２治具（盤木６０）を搭載し、
前記第２治具が前記第１治具によって支持された状態にて、当該第２治具に上方から当接するようにして第２外壁用フレーム（例えば上側の外壁フレーム２２）を積載する外壁用フレームの積載方法。
【０００９】
手段１によれば、複数の第１治具を跨ぐようにして設けられた第２治具に第２外壁用フレームを載置することにより、第１外壁用フレームと第２外壁用フレームのサイズ違いを好適に許容することができる。建物の外壁については、仕様や配設箇所等の各種条件によって横幅が様々となる。そこで、上述したようにサイズの違う外壁用フレームの積載を可能とすれば、建物毎に外壁用フレームをまとめて輸送することが可能となり、輸送効率の向上に貢献できる。
【００１０】
また、外壁用フレームに固定される複数の第１治具とそれら第１治具を跨ぐように配置される第２治具とを介在させて第１外壁用フレームの上に第２外壁用フレームを積載することにより、第１外壁用フレームが各治具とともに第２外壁用フレーム用の支持手段として機能することとなる。これにより、例えば収容棚（所謂ストッカ）等の大型の支持手段が不要となる。このようにして支持手段の小型化を図ることにより、輸送棚の占有領域を減縮する等して輸送に係る制約を低減することができる。なお、復路では第１治具及び第２治具を取り外した状態で運ぶことが可能となる。以上の理由から、上述した輸送効率の更なる向上に貢献できる。
【００１１】
手段２．前記外壁用フレームは、建物に組み付けられた状態にて縦方向に延びる一組の縦フレーム部（縦フレーム部材２５）と、それら縦フレーム部を繋ぐ複数の横フレーム部（横フレーム部材２７）とを有してなり、
前記第１治具を前記横フレーム部の２つに複数ずつ固定し、それら横フレームに沿うようにして前記第２治具を各々配置することを特徴とする手段１に記載の外壁用フレームの積載方法。
【００１２】
建物の外周を構成する外壁については、縦寸法と比較して横寸法（幅寸法）のバリエーションが多くなりやすい。そこで本手段に示すように、複数の横フレーム部に固定された第１治具に同横フレームに沿うようにして各々第２治具を配置する構成とすれば、上述したバリエーションを好適に許容でき、横幅違いの外壁用フレームをまとめて輸送することが可能となる。これにより、手段１に示した効果を好適に発揮させることができる。
【００１３】
また、縦寸法バリエーションが比較的少ない点に鑑みれば、２つの横フレームを第１治具の固定対象とし且つそれら横フレームに沿うようにして２つの第２治具を配置することで、積載時の支持バランスの向上等に貢献できる。なお、縦寸法バリエーションが比較的少ない点に鑑みれば、縦フレーム部の両端（上端及び下端）に配置された横フレーム部を治具の固定対象とすることにより、各階層にて第２治具同士の間の距離を揃えやすくなる。故に、上述した各種効果を享受しやすくなる。
【００１４】
手段３．前記第１外壁用フレームの横幅は前記第２外壁用フレームの横幅よりも小さくなっており、
前記第１外壁用フレームを横並びとなるようにして複数配置し、
それら第１外壁用フレームの各々に第１治具を固定し、それら第１治具に跨るようにして前記第２治具を搭載することを特徴とする手段２に記載の外壁用フレームの積載方法。
【００１５】
横幅が大小異なる複数の外壁用フレームを輸送する場合には、横並びとなるように配置された複数の小型外壁用フレーム（例えば第１外壁用フレーム）に各々第１治具を固定し、それら外壁用フレーム（第１治具）に跨るようにして第２治具を配置することにより、その上に大型外壁フレーム（例えば第２外壁用フレーム）を搭載することが可能となる。
【００１６】
これにより、小型外壁用フレーム上に大型外壁用フレームを載せる場合であっても、支持バランスが崩れることを好適に抑制できる。また、積載順序に関係なく支持バランスを担保できるため当該積載順序が大型外壁フレーム→小型外壁フレームに限定されることを抑制し得る。これにより、積載順序に係る自由度の向上に貢献できる。
【００１７】
手段４．前記横フレーム部は、前記第２治具への搭載状態にて下面となる平面部（平板部４１）と、前記平面部と交差する方向に突出する突出部（折曲部４２）とを有してなり、
前記第２外壁用フレームの前記平面部を前記第２治具に載せた状態では、前記第２治具と前記突出部とが引っ掛かることにより前記縦フレームの長手方向における前記第２外壁用フレームの変位が規制されることを特徴とする手段２又は手段３に記載の外壁用フレームの積載方法。
【００１８】
外壁用フレームを構成するフレーム部については強度担保等を目的として断面（例えばＬ型，Ｔ型、Ｈ型等）が工夫されていることが多い。この点、本手段に示すように、横フレーム部に形成された平面部（当接面部）が第２治具に当たる構成とすることにより、支持バランスを好適に向上できる。また、突出部を利用して、水平方向における第２外壁用フレームの変位を規制することにより、既存の構成を利用して荷崩れ防止に貢献することが可能となる。このように、横フレーム部に設けられた平面部と突出部とを利用することには、既存の構成を利用して構造の複雑化を抑えつつ、支持バランスの向上、荷崩れ防止等の各種効果を享受できるという技術的意義が存在する。
【００１９】
手段５．前記第１外壁用フレームには、建物躯体（建物躯体１３の大梁１４）に連結される連結部（連結ブラケット３１）が設けられており、
前記連結部が前記第１治具の固定対象となっていることを特徴とする手段１乃至手段４のいずれか１つに記載の外壁用フレームの積載方法。
【００２０】
手段５によれば、建物躯体への連結箇所という既存の構成を利用して第１治具を固定することにより、手段１等に示した効果を享受しつつ、それに起因して外壁用フレームの構成が複雑化になること、すなわち建物の製造が完了した状態にて無駄になる部分が生じることを回避できる。また、連結部については、建物躯体への連結機能が付与されているため、必然的にある程度の強度が担保される。このように強度が担保されている部分を利用することにより、第１治具の固定箇所が変形するといった不都合が発生することを好適に抑制できる。
【００２１】
なお、例えば外壁用フレームが固定具（ボルト３３）によって建物躯体に連結される構成においては、外壁用フレームに形成された固定具用の挿通孔を利用して第１治具を外壁用フレームに固定してもよい。より詳しくは、第１治具に上記挿通孔と連通する係合孔を形成し、挿通孔に挿通された上記固定具が当該係合孔に係合することにより、第１治具が外壁用フレームに固定される構成とすることも可能である。
【００２２】
手段６．前記第１治具は、前記第１外壁用フレームに固定されることにより当該第１外壁用フレームよりも上方に延出した状態となる固定部（取付ベース５１）と、前記固定部における前記延出している部分と交差する方向に延び、前記第２治具を支持する支持部（載置部５２）とを有し、
前記第１治具を前記第１外壁用フレームに固定する場合に、当該第１治具の前記支持部が前記固定部よりも当該第１外壁用フレームの内側に位置するようにして前記第１外壁用フレームの外側から前記固定部を固定することを特徴とする手段１乃至手段５のいずれか１つに記載の外壁用フレームの積載方法。
【００２３】
手段６によれば、第１治具を第１外壁用フレームの外側から固定する構成とすることにより、積層済みの外壁用フレームが第１治具の固定作業の邪魔になることを好適に抑制することができる。
【００２４】
また、第１治具が第１外壁用フレームに固定された状態では支持部が外壁用フレームの内側を向くことにより、外側への出っ張りを好適に抑制することができ、例えば外壁用フレームをトラック等へ搭載する場合に、第１治具の占有領域が嵩む等して外壁用フレームのサイズが制限されることを抑制できる。
【００２５】
手段７．前記支持部において前記第２治具が搭載される側とは反対側となる部分（突出部５４）が前記第１外壁用フレームに当接するようにして、前記第１治具を前記第１外壁用フレームに固定することを特徴とする手段６に記載の外壁用フレームの積載方法。
【００２６】
手段６に示したように第１治具において第１外壁用フレームへの固定箇所と第２外壁用フレームの支持箇所とがオフセットしている構成においては、占有領域の減縮に貢献できる反面、固定箇所に生じる曲げモーメントが大きくなりやすい。特に、第２治具の搭載領域を確保しようとすれば、オフセット量が嵩んで曲げモーメントが大きくなると想定される。
【００２７】
この点、本手段によれば、支持部において第２治具と反対側となる部分を第１外壁用フレームに当接させることにより、同支持部を介して第２外壁用フレームの重みが第１外壁用フレームに対して縦に伝わることとなり、上述した曲げモーメントの発生を抑えることができる。故に、第１外壁用フレームによって第２外壁用フレームを支える構成にて、第２外壁用フレームの重みにより第１外壁用フレームが変形することを好適に抑制できる。
【００２８】
手段８．３段以上に積層された前記外壁用フレームのうち中間位置の前記外壁用フレームにおいて、当該外壁用フレームの縦横何れかのフレーム部を挟んで下側に前記第２治具が設けられているとともに、上側に前記第２治具の支持部及び前記第２治具が設けられ、それらが下から、前記第２治具、前記外壁フレームのフレーム部、前記第１治具の支持部、前記第２治具の順に上下に並び、且つ上下となる部材同士が互いに当接した状態となるように配置することを特徴とする手段１乃至手段７のいずれか１つに記載の外壁用フレームの積載方法。
【００２９】
手段８によれば、荷重を縦に伝えることができ、外壁用フレームに当該外壁用フレームを湾曲させるような曲げモーメントが生じることを抑制できる。これにより、外壁用フレームによって他の外壁用フレームを支持する構成にて、支える側の外壁用フレームの変形を抑えることができる。故に、積載される（縦積みされる）外壁用フレームの数が、それら外壁用フレームの重さによって制限されることを抑制し、積載機能を好適に向上させることが可能となる。
【００３０】
なお、「前記外壁用フレームは、積載された状態にて板面が上下方向を向くように形成された板状部（平板部４１）を有し、当該板状部の各板面が前記第２治具の当接対象となるように配置する」構成とすれば、上記機能を一層好適に発揮させることができる。
【００３１】
手段９．前記第１治具には、同第１治具に搭載された第２治具に係合する係合部（ストッパ５３）が形成され、当該係合部にり少なくとも当該第２治具の搭載対象となっている第１治具の並設方向と交差する方向への前記第２治具の変位が規制される構成となっており、
前記第２治具を前記第１治具に搭載する場合には、当該第２治具が前記第１治具の係合部に係合するようにして配設することを特徴とする手段１乃至手段８のいずれか１つに記載の外壁用フレームの積載方法。
【００３２】
手段９によれば、第１治具及び第２治具を併用した場合に、両治具の位置関係が変化して、第２治具から第１治具が脱落することを抑制できる。これにより、外壁用フレームユニットの荷崩れを好適に抑制できる。
【００３３】
手段１０．工場にて前記外壁用フレームを製造する製造工程と、
前記積載方法により積載された複数の外壁用フレームを施工現場へ輸送する輸送工程と、
前記施工現場に輸送された外壁用フレームを建物躯体に組み付ける組付工程と
を有していることを特徴とする手段１乃至手段９のいずれか１つに記載の外壁用フレームの積載方法を利用した建物の製造方法。
【００３４】
手段１０によれば、外壁用フレームの輸送効率を向上することにより建物の製造効率の向上に貢献できる。
【００３５】
なお、例えば「前記施工現場に輸送された前記外壁用フレームの組み付け前に、前記第２治具を前記第１治具から取り外す第１取外工程と、前記第１治具を前記第１外壁用フレームから取り外す第２取外工程と、前記各取外工程にて取り外された第１治具及び第２治具を取り外した状態のまま前記工場に戻す戻し工程とを有する」構成とすれば、戻し工程にて各治具が占有する領域（例えばトラック等の荷台における占有領域）を減縮し、廃材等の各種構成を輸送工程にて使用されたトラック等の輸送手段を用いて工場へ戻すことが可能となる。
【図面の簡単な説明】
【００３６】
【図１】一実施の形態における建物の窓周辺構造を示す概略図。
【図２】（ａ）外壁部を示す分解斜視図、（ｂ）外壁部の建物躯体への取付構造を示す概略図。
【図３】外壁フレームへの治具の取付態様を示す概略図。
【図４】（ａ）外壁フレームの積載状態を示す概略図、（ｂ）治具と外壁フレームとの関係を示す断面図。
【図５】外壁フレームの積載作業の流れを示す概略図。
【発明を実施するための形態】
【００３７】
以下、本発明を具体化した実施の形態について説明する。本実施の形態は、住宅等の建物１０を構成する外壁１１（詳しくは外壁フレーム）を工場から施工現場に輸送して建物１０を組み立てる方法について具体化されている。以下、図１及び図２を参照して外壁１１及びそれに関連する構成について説明し、その後、外壁フレームの輸送に係る構成について説明する。図１は建物１０の窓部１２の周辺構造を示す概略図、図２（ａ）は窓部１２が設けられている部位（外壁部１５）を主要な構成毎に分解して示す分解斜視図、図２（ｂ）は建物躯体１３への外壁部１５の取付構造を示す概略図である。なお、以下に参照する各図面においては便宜上、建物１０の正面視を基準として上側に位置する構成の符号の後に「Ｕ」、下側に位置する符号の後に「Ｄ」、左側に位置する構成の符号の後に「Ｌ」、右側に位置する構成の符号の後に「Ｒ」を付与している。
【００３８】
図１に示すように建物１０の窓部１２においては、外壁面材２１（詳しくは所謂重厚外壁）と当該外壁面材２１の背面部分に取り付けられた窓部用の外壁フレーム２２とにより窓部用の外壁部１５が構築されている。サイズや重量が嵩みやすい外壁１１を複数の外壁面材２１及び外壁フレーム２２に分割して設け、それらを施工現場にて組み合わせる構成とすることにより、輸送条件（例えばサイズ）等に係る制約を好適に回避している。
【００３９】
窓部用の外壁フレーム２２は、左右一対の縦フレーム部材２５とそれら縦フレーム部材２５の上端部同士及び下端部同士を繋ぐように設けられた横フレーム部材２７とを有してなり、その外形が略矩形状をなすように形成されている。両横フレーム部材２７が建物躯体１３を構成する大梁１４に固定されることにより、外壁１１が建物躯体１３に取り付けられている。
【００４０】
外壁１１には建物開口部としての上記窓部１２が形成されている。外壁１１の両横フレーム部材２７の間には、窓部１２の上端縁及び下端縁に沿うようにして中間フレーム部材２９が設けられており、同中間フレーム部材２９によって窓部１２を開閉する開閉体（ガラス戸）が支持されている。このように、本実施の形態における外壁フレーム２２については、所謂サッシ枠としての機能が付与されている。なお、図２以降は、中間フレーム部材２９の図示を省略してある。
【００４１】
図１に示す概略図では、外壁１１において建物１０の２階を構成している部分に、大きさの異なる窓部が複数形成されている。図示は省略するが、外壁１１には各窓部に対応させて横幅の異なる複数種の外壁フレームが各々配設されている。つまり、外壁フレームの横幅（例えば両縦フレーム部材２５の間隔寸法）については、バリエーションが複数設定されている。一方、外壁フレームの縦幅（例えば両横フレーム部材２７の間隔寸法）については、横フレーム部材が大梁１４（床大梁及び天井大梁）への固定部分としての機能が付与されている。両大梁１４の間隔は一定となっているため、必然的に２階部分の外壁１１を構成している外壁フレームの縦幅については同等となっている。
【００４２】
ここで、図２（ａ）を参照して外壁フレーム２２について補足説明する。縦フレーム部材２５は、外壁面材２１の背面に対向する長板状の対向部と、対向部（詳しくは外壁フレーム２２の内側となる長辺部分）から外壁面材２１とは反対側に延びる折曲部とを有してなり、水平断面が略Ｌ字状をなすように形成されている。
【００４３】
各縦フレーム部材２５の対向部分に横フレーム部材２７が固定されている。横フレーム部材２７は、板面が外壁面材２１の背面及び縦フレーム部材２５の表面に対応する平板部４１を有している。平板部４１は左右に延びる長尺状をなしており、その両端部分が縦フレーム部材２５への固定箇所となっている。また、平板部４１は外壁面材２１に対する外壁フレーム２２の取付部として機能しており、施工現場にて平板部４１が外壁面材２１に取り付けられることにより、外壁面材２１と外壁フレーム２２とがアセンブリ化され、外壁部１５が形成されることとなる。
【００４４】
横フレーム部材２７は平板部４１の長辺から外壁１１の厚さ方向に突出するようにして形成された折曲部４２を有してなり、建物躯体１３への取付部としての強度が担保されている。ここで、建物躯体１３（大梁１４）への取付構造について説明する。横フレーム部材２７には、自身の長手方向に並べて複数（本実施の形態においては２つ）の連結ブラケット３１が設けられている。図２（ｂ）に示すように、これら連結ブラケット３１には、締結用のボルト３３と係合するナット３１ａが設けられている。大梁１４に形成された貫通孔に挿通されたボルト３３がナット３１ａに羅着されることで、建物躯体１３へ外壁フレーム２２が取り付けられている。なお、ナット３１ａをウエルドナットにより構成し連結ブラケット３１に一体化するとよい。
【００４５】
なお、ナット３１ａについては連結ブラケット３１と別体とすることも可能である。但し、ナット３１ａは、建物躯体１３への外壁部１５の取り付け、更には後述する治具の取り付けに利用される。このような利用頻度に配慮すれば、ナット３１ａを連結ブラケット３１に固定しておくことにより作業効率の向上等に貢献できる。
【００４６】
以上詳述した外壁フレーム２２については、外壁面材２１とは組み合わされる前の状態、すなわち各フレーム部材２５，２７，２９等の各種構成がユニット化された状態でトラック等の輸送手段により工場から施工現場に輸送される。この際、複数の外壁フレーム２２を縦に積み上げた（積層した）状態でまとめて輸送することにより輸送効率等の向上が図られている。以下、図３及び図４を参照して、外壁フレーム２２の積層に係る構成について説明する。図３は外壁フレーム２２への積載用の治具の取付態様を示す概略図、図４（ａ）は外壁フレーム２２の積載状態を示す概略図、図４（ｂ）は積載用の治具と外壁フレーム２２との関係を示す断面図である。
【００４７】
外壁フレーム２２を積載する場合には、「積載用治具」として２つの治具５０とそれら２つの治具５０に跨るようにして配置される盤木６０とを一組の治具セットとし、２つの治具セットを用いて１段ずつ外壁フレーム２２が積載される。
【００４８】
図３に示すように、治具５０は、外壁フレーム２２への固定対象としてのベース部５１を有している。ベース部５１には、横フレーム部材２７の連結ブラケット３１に設けられたナット３１ａに連通する連通孔５１ａが形成されている。連通孔５１ａに挿通されたボルト５８がナット３１ａに羅着されることにより、治具５０が連結ブラケット３１（外壁フレーム２２）に固定されている。
【００４９】
ベース部５１は、外壁フレーム２２の積載方向（厚さ方向）に延びる長板状をなしており、連結ブラケット３１に固定された状態にて当該ベース部５１の上端部が外壁フレーム２２よりも上方に突出するように形成されている。この突出している部分には、ベース部５１と直交する方向に延びる長板部５２が形成されている。長板部５２は、外壁フレーム２２の内側に延びる部分と外壁フレーム２２の外側に延びる部分とを有してなり、前者が上記盤木６０の載置対象（「載置部５２ａ」）となっている。
【００５０】
載置部５２ａには、当該載置部５２ａに載置されている盤木６０と係合する係合部５３が形成されている。係合部５３は、上方に凸となるように配置された一対のアングルからなり、それらアングルが離間して配置されることでアングル間に盤木６０の配置領域が確保されている。アングルは横フレーム部材２７の長手方向（外壁フレーム２２の幅方向又は治具５０の並設方向）と交差する方向に離間しており、両アングルに挟まった盤木６０については当該交差する方向への変位が規制される。
【００５１】
係合部５３の高さ寸法は盤木６０の高さ寸法よりも小さく設定されており、ベース部５１に配置された盤木６０は上方に突出している（図４（ａ）参照）。このように突出している部分に対して上方から別の外壁フレームが載ることとなる。
【００５２】
なお、長板部５２において係合部５３が配設されている部分とはベース部５１を挟んで反対側に位置する部分とベース部５１とには両者を繋ぐ三角リブ５６が設けられており、この三角リブ５６によって治具５０が補強されている。
【００５３】
図４（ａ）に示すように、治具５０及び盤木６０を上下の外壁フレーム２２の間に介在させることにより、外壁フレーム２２同士が上下に方向にて接触することが回避されている。因みに、図４においては説明の便宜上、３以上の外壁フレーム２２が積載された状態を示しているが、１段目の外壁フレーム２２及びそれに関連する構成を示す符号に「Ａ」、２段目の外壁フレーム２２及びそれに関連する構成を示す符号に「Ｂ」、３段目の外壁フレーム２２及びそれに関連する構成を示す符号に「Ｃ」を付与している。
【００５４】
図４においては、パレットＰの上に盤木６０Ｐが配置され、その上に外壁フレーム２２Ａが配置されている。具体的には、１段目の外壁フレーム２２Ａの横フレーム部材２７Ａ（詳しくは平板部４１Ａ）が盤木６０Ｐに当接するように配置されている。盤木６０Ｐの長さ寸法は、外壁フレーム２２Ａの両縦フレーム部材２５Ａの間隔寸法よりも僅かに小さく設定されている。これにより、盤木６０Ｐと縦フレーム部材２５Ａとの接触が回避されている。
【００５５】
外壁フレーム２２Ａに設けられた２つの連結ブラケット３１Ａには、治具５０Ａが各々固定され、それら治具５０Ａに跨るようにして盤木６０Ａが載置されている。２段目の外壁フレーム２２Ｂについても、横フレーム部材２７Ｂの平板部４１Ｂが盤木６０Ａに当接するようにして配置されている。
【００５６】
２段目の外壁フレーム２２Ｂは、１段目の外壁フレーム２２Ａとはサイズ違いとなっている。具体的には、２段目の外壁フレーム２２Ｂは横幅Ｗ２が１段目の外壁フレーム２２Ａの横幅Ｗ１よりも小さく（詳しくは半分以下）なっており、２つの外壁フレーム２２Ｂが横並びとなるように配置されている。
【００５７】
このような配置とした場合には、盤木６０Ａの長さ寸法よりも縦フレーム部材２５Ｂの間隔寸法が小さくなる。このため、縦フレーム部材２５Ｂが盤木６０Ａと干渉する可能性が生じる。この点、本実施の形態に示す盤木６０（６０Ｂ）においては、上方に凸となる凸部６１を複数設けて当接面に凹凸を形成することにより、そのような不都合の発生を抑えている。具体的には、縦フレーム部材２５の折曲部の両端には切り欠きが形成され、対向部からの突出量が部分的に抑えられている。この切り欠きが凸部６１Ｂの間に入ることにより、縦フレーム部材２５と盤木６０Ｂとの干渉を回避して、盤木６０Ｂによる横フレーム部材２７Ｂの支持機能を担保している。
【００５８】
各外壁フレーム２２Ｂに設けられた２つの連結ブラケット３１Ｂの何れか一方には、治具５０Ｂが各々固定され、それら治具５０Ｂに跨るようにして盤木６０Ｂが載置されている。これにより、支持バランスや荷重の分散機能が好適に発揮される。特に、左側に位置する外壁フレーム２２Ｂの左側の連結ブラケット３１Ｂと、右側に位置する外壁フレーム２２Ｂの右側の連結ブラケット３１Ｂとを治具５０Ｂの固定対象とすることにより、盤木６０Ｂの支持スパンが狭くなることを抑制し、当該盤木６０Ｂの支持バランスの担保を図っている。
【００５９】
３段目の外壁フレーム２２Ｂについても、横フレーム部材２７Ｃの平板部４１Ｃが盤木６０Ｂに当接するようにして配置されている。
【００６０】
本実施の形態に示すように、外壁フレーム２２への治具５０の固定箇所よりも、内側にオフセットした位置に盤木６０Ａを配した場合には、外壁フレーム２２の荷重を受けて治具５０に曲げモーメントが発生する。これは、治具５０やその固定対象となっている外壁フレーム２２の変形の要因となるため、好ましくない。そこで、本実施の形態においては、荷重の伝達経路を工夫することにより、上記不都合の発生を回避していることを特徴の１つとしている。
【００６１】
以下、図３（ｂ）を参照して、当該工夫に係る構成について説明する。治具５０の長板部５２（詳しくは載置部５２ａ）には、係合部５３とは反対側（下方）に突出する突出部５４が形成されている。この突出部５４の先端部分には座面が形成されており、この座面にゴムクッション５５が取り付けられている。治具５０のベース部５１に形成された連通孔５１ａは縦方向に延びる長孔状をなしており、上下位置を調整可能となっている。治具５０を連結ブラケット３１に固定する場合には、上記突出部５４（ゴムクッション５５）が横フレーム部材２７の平板部４１に当接するようにして調整される。
【００６２】
これにより、上側の盤木６０、治具５０の突出部５４、横フレーム部材２７の平板部４１、下側の盤木６０が縦に並び、荷重の伝達経路が確保される。これにより、上述したオフセットの影響を軽減し、曲げモーメントによる変形を好適に抑制できる。
【００６３】
特に、図４（ａ）の右部に示すように、複数の治具５０を縦に並べて配置すれば、荷重の加わる位置を縦に揃えることができ、荷重を受けた平板部４１が撓むことを好適に抑制できる。また、上側の積載用治具と下側の積載用治具とにより挟まれる対象を板面が上下を向く平板状とすることにより、荷重が平板部４１を圧縮するように作用することとなる。このような荷重の受け方によって横フレーム部材２７の撓み変形を好適に回避できる。
【００６４】
なお、荷重の伝達経路が連結ブラケット３１を経由するものと経由しないものとの２系統となることにより、分散機能を向上することができる。これは建物躯体１３への取付手段を構成する連結ブラケット３１の変形を回避する上でも好ましい。
【００６５】
次に、建物１０の組み立ての流れについて、外壁１１の製造、輸送、組み付け等の流れを中心に説明する。以下の説明では適宜図５の概略図を参照する。
【００６６】
工場における製造ラインを経てアセンブリ化された外壁フレーム２２は、続く積載工程にてパレットＰ上に重ねて配置される。具体的には、図５（ａ）に示すように、先ずパレットＰ上に盤木６０を２つ並べて配置し、各盤木６０上に横フレーム部材２７Ａが当接するように配置する。次に、図５（ｂ）に示すように、横フレーム部材２７Ａの各連結ブラケット３１Ａに治具５０Ａを固定し、固定された治具５０Ａに盤木６０Ａを載せる。詳しくは、盤木６０Ａは１の横フレーム部材２７Ａを固定対象とする２つの治具５０Ａに跨るように配置される。これにより、各横フレーム部材２７Ａに沿って延びようにして２つの盤木６０Ａが所定の間隔を隔てて並設されることとなる。
【００６７】
図４（ｃ）に示すように、２段目の外壁フレーム２２Ｂを盤木６０Ａに配置する。本実施の形態においては、各１段目の外壁フレーム２２Ａの向きと２段目の外壁フレーム２２Ｂの向きとが一致しており且つ各外壁フレーム２２Ａ，２２Ｂの縦幅が一致しているため、各盤木６０Ａに外壁フレーム２２Ｂの横フレーム部材２７（詳しくは平板部４１）が当接する。
【００６８】
次に、図５（ｄ）に示すように、２段目の外壁フレーム２２Ｂの各連結ブラケット３１Ｂに治具５０Ｂを固定し、固定された治具５０Ｂに盤木６０Ｂを載せる。これら連結ブラケット３１Ｂの固定及び盤木６０Ｂの配置については、１段目（図４（ｂ）参照）と同様であるため、説明を援用する。その後、外壁フレーム２２の積載数が所定数となるまで、同様の作業を繰り返す。
【００６９】
所定数の外壁フレーム２２が積載された後は、それら外壁フレーム２２をパレットＰごとトラック等の輸送手段に積んで施工現場へと輸送する。施工現場では、図５（ｄ）→図５（ｃ）→図５（ｂ）→図５（ａ）に示すように上から順に外壁フレーム２２の積み下ろし（取り外し）を行う。これにより、積載用の治具５０，６０が取り外されることとなる。施工現場から工場へ積載用の治具を戻す場合には、積載用の治具５０，６０をばらした状態で搬送できるため、積載スペースを無駄に占有することがない。また、外壁フレーム２２の取り外しに伴って積載用の治具が分離されるため、積載用の治具を外したりばらしたりするための別途作業を必要としない。
【００７０】
施工現場においては、上述した方法により輸送された外壁フレーム２２と外壁面材２１とをユニット化して外壁部１５を形成し、この外壁部１５を建物躯体１３に固定する。これにより、建物１０の外壁１１が形成されることとなる。なお、施工現場での組み付け手順については、アセンブリ化された外壁部１５に建物躯体１３に固定するのではなく、建物躯体１３に固定された外壁フレーム２２に外壁面材２１を固定してもよい。
【００７１】
以上詳述した実施の形態によれば、以下の優れた効果を奏する。
【００７２】
複数（２つ）の治具５０を跨ぐようにして搭載した盤木６０に外壁フレーム２２を載置することにより、下側の外壁フレーム２２と上側の外壁フレーム２２のサイズ違いを好適に許容することができる。建物１０の外壁部１５については、仕様や配設箇所等の各種条件によって横幅が様々となる。そこで、上述したようにサイズの違う外壁フレーム２２の積載を可能とすれば、建物１０を構成する複数の外壁フレーム２２をまとめて輸送することが可能となり、輸送効率の向上に貢献できる。
【００７３】
また、外壁フレーム２２に固定される複数の治具５０及び盤木６０を介在させて下側の外壁フレーム２２の上に上側の外壁フレーム２２を積載することにより、下側の外壁フレーム２２が各積載用の治具５０，６０とともに上側の外壁フレーム２２用の支持手段として機能することとなる。これにより、例えば収容棚（所謂ストッカ）等の大型の支持手段が不要となる。このようにして支持手段の小型化を図ることにより、輸送棚の占有領域を減縮する等して輸送に係る制約を低減することができる。
【００７４】
建物１０の外周を構成する外壁部１５については、縦寸法と比較して横寸法（幅寸法）のバリエーションが多くなりやすい。そこで、治具５０の固定対象を横フレーム部材２７として、各横フレーム部材２７に沿うようにして盤木６０を配置する構成とすれば、横幅違いの外壁フレームをまとめて輸送することが可能となる。
【００７５】
特に、建物躯体１３（大梁１４）への取付対象としての横フレーム部材２７の間隔については、それら大梁１４の間隔によって規定されるため、縦幅については横幅のようなバリエーションが発生しにくい（１階、２階の差を除く）。そこで、これら２つの横フレーム部材２７を輸送用の治具の配設対象とすることで、積層配置を行う場合に上下のフレームの支持スパンを統一できる。これにより、各積載用の治具５０，６０による積載機能が上手く発揮されなくなることを好適に回避できる。
【００７６】
横幅が大小異なる複数の外壁フレーム２２を輸送する場合には、横並びとなるように配置された複数の小型外壁フレーム２２（例えば外壁フレーム２２Ｂ）に各々治具５０を固定し、それら外壁フレーム２２に跨るようにして盤木６０を配置することにより、その上に大型外壁フレーム２２（例えば外壁フレーム２２Ｃ）を搭載することが可能となる。
【００７７】
これにより、小型外壁フレーム上に大型外壁フレームを載せる場合であっても、支持バランスが崩れることを好適に抑制できる。また、積載順序に関係なく支持バランスを担保できるため当該積載順序が大型外壁フレーム→小型外壁フレームに限定されることを抑制し得る。故に、積載順序に係る自由度の向上に貢献できる。
【００７８】
外壁フレーム２２を構成する各種フレーム部材については強度担保等を目的として断面（例えばＬ型等）が工夫されていることが多い。横フレーム部材２７に形成された平板部４１が盤木６０に載る構成とすることにより、支持バランスを好適に向上できる。また、折曲部４２を利用して、水平方向における外壁フレーム２２の変位を規制することにより、既存の構成を利用して荷崩れ防止に貢献することが可能となる。このように、横フレーム部材２７に設けられた平板部４１と折曲部４２とを利用することには、既存の構成を利用して構造の複雑化を抑えつつ、支持バランスの向上、荷崩れ防止等の各種効果を享受できるという技術的意義が存在する。
【００７９】
建物躯体１３への連結箇所という既存の構成（連結ブラケット３１）を利用して治具５０を固定することにより、上記各種効果を享受しつつ、それに起因して外壁フレーム２２の構成が複雑化になること、すなわち建物１０の製造が完了した状態にて無駄になる部分が生じることを回避できる。また、連結ブラケット３１については、建物躯体１３への連結機能が付与されているため、必然的にある程度の強度が担保される。このように強度が担保されている部分を利用することにより、治具５０の固定箇所が変形するといった不都合が発生することを好適に抑制できる。
【００８０】
治具５０を外壁フレーム２２の外側から固定する構成とすることにより、積層済みの外壁フレーム２２が治具５０の固定作業の邪魔になることを好適に抑制することができる。また、治具５０が外壁フレーム２２に固定された状態では載置部５２ａが内側を向くことにより、外側への出っ張りを好適に抑制することができ、例えば外壁フレーム２２をトラック等へ搭載する場合に、治具５０の占有領域が嵩む等して外壁フレーム２２のサイズが制限されることを抑制できる。
【００８１】
治具５０において外壁フレーム２２への固定箇所と上側の外壁フレーム２２の支持箇所とがオフセットしている構成においては、上述した占有領域の減縮に貢献できる反面、固定箇所に生じる曲げモーメントが大きくなりやすい。特に、盤木６０の載置領域を確保しようとすれば、オフセット量が嵩んで曲げモーメントが大きくなると想定される。
【００８２】
この点、載置部５２ａにおいて盤木６０が載置される側とは反対となる部分に突出部５４を設けこの突出部５４を治具５０の固定対象となっている外壁フレーム２２（下側の外壁フレーム２２）に当接させることにより、載置部５２ａを介して上側の外壁フレーム２２の重みが下側の外壁フレーム２２に対して縦に伝わることとなり、上述した曲げモーメントの発生を抑えることができる。故に、下側に位置する外壁フレーム２２によって上側に位置する外壁フレーム２２を支える構成にて、当該上側の外壁フレーム２２の重みにより下側の外壁フレーム２２が変形することを好適に抑制できる。
【００８３】
積層配置された外壁フレーム２２間に隙間を確保できる。中間フレーム部材２９や縦フレーム部材２５については、窓部１２の開口縁に沿うように構成され水の浸入を防止する止水部材を配設することも可能となる。この場合であっても、止水部材が破損等することを好適に回避できる。なお、横フレーム部材２７に止水部材が配設される場合には、上記突出部５４を省略して当該止水部材と治具５０との干渉を回避するとよい。
【００８４】
上述した積載方法によって外壁フレーム２２の輸送効率を向上することにより建物１０の製造効率の向上に貢献できる。
【００８５】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【００８６】
（１）上記実施の形態では、「横フレーム部」としての横フレーム部材２７を「第１治具」としての治具５０の固定対象としたが、「縦フレーム」としての縦フレーム部材２５を治具５０の固定対象とすることも可能である。
【００８７】
（２）上記実施の形態では、「第２治具」としての盤木６０に横フレーム部材２７の平板部４１が当接する構成としたが、折曲部４２が当接する構成としてもよい。また、当接対象については縦フレーム部材２５に変更すること、又は縦フレーム部材２５及び横フレーム部材２７の両方とすることも可能である。
【００８８】
（３）上記実施の形態では、治具５０に突出部５４を設け、この突出部５４が下側に配置されている外壁フレーム２２の横フレーム部材２７に当接する構成とすることにより、荷重による変形を抑える構成としたが、このような構成については省略することも可能である。特に、横フレーム部材２７の表面に防水シート等の止水部材を配している場合には、このような止水部材が破損する可能性を回避すべきである。この種の外壁フレームを積載する場合には、上記突出部５４を省略することが好ましい。
【００８９】
なお、突出部５４に相当する構成については、「第１治具」としての治具５０とは別体で設け、外壁フレームの仕様等（止水部材の有無）等に応じて当該構成を設置するか否かを選択するとよい。
【００９０】
（４）上記実施の形態においては、「連結部」としての連結ブラケット３１（詳しくはボルト孔が形成されたナット３１ａ）を利用して治具５０を固定する構成としたが、治具５０の固定方法については任意である。但し、建物躯体への取付手段として機能する連結ブラケット３１についてはある程度の強度が確保されている部分であり、このように強度が確保された部分を利用することで、固定箇所の補強等を別途行う必要がなくなり、上記積載方法を利用する上で外壁フレーム２２の構成が複雑になることを抑制できる。
【００９１】
（５）上記実施の形態では、載置部５２ａが治具５０の固定箇所よりも内側に位置するようにして当該治具５０を固定したが、治具５０の向きを逆にしてもよい。すなわち、載置部５２ａが治具５０の固定箇所よりも外側に位置するようにして当該治具５０を固定してもよい。
【００９２】
（６）上下に配置された連結ブラケット３１同士を上下方向にて当接させる構成とすることにより、上側の連結ブラケット３１から下側の連結ブラケット３１に荷重を直接伝達させることができ、外壁フレーム２２に加わる支持負荷を好適に軽減することができる。
【００９３】
（７）上記実施の形態では、窓部１２を有する外壁部１５に対応した外壁フレーム２２を積載する方法について説明したが、外壁に用いられるフレームに適用させるのであれば、上記積載方法の対象となるフレームについては窓部に対応するものに限定されない。
【００９４】
（８）上記実施の形態では、一対のアングルからなる係合部５３に「第２治具」としての盤木６０が係合することにより、「第１治具」としての治具５０と盤木６０との相対変位を規制する構成としたが、相対変位を規制することが可能であれば足り、その具体的構成については任意である。例えば、治具５０に軸ピンを形成し、盤木６０に当該軸ピンが挿通される挿通孔を形成し、軸ピンが挿通孔と係合することにより、盤木６０の相対変位を規制する構成としてもよい。
【００９５】
なお、上記実施の形態に示すように、盤木６０に凸部６１を形成して縦フレーム部材２５との干渉を回避する構成においては、盤木６０を配置した後に当該盤木６０の位置調整を行う必要が生じ得る。故に、相対変位を規制する場合には、盤木６０の長手方法（例えば外壁フレーム２２の幅方向）における相対変位については許容することが好ましい。
【００９６】
（９）盤木６０の凸部６１の配置については等間隔である必要はなく、凸部６１の間隔に差を付与してもよい。なお、凸部６１については必須の構成ではなく、これを省略することも可能であるが、縦フレーム部材２５によって盤木６０の積載に係る制約が強くなることを回避する上では、載置面を凹凸にすることに技術的意義がある。
【００９７】
なお、「第２治具」については、木製である必要はなく合成樹脂材料や金属材料により形成してもよい。
【００９８】
（１０）上記実施の形態では、相対的に幅の広い外壁フレーム２２の上に相対的に幅の狭い外壁フレーム２２を複数並べて配置したが、これに限定されるものではない。相対的に幅の狭い外壁フレーム２２が横並びに配置されている場合に、それら各外壁フレーム２２の上に同じく相対的に幅の狭い外壁フレーム２２を縦積みしてもよい。この場合であっても、横並びとなる２つの外壁フレーム２２に亘って盤木６０が配置されることにより、個別に縦積みする場合と比較して積載時の安定性の向上に貢献できる。
【００９９】
（１１）上記実施の形態では、横並びに配置された２つの外壁フレーム２２の連結ブラケット３１を１つずつ利用して盤木６０を支持する構成としたが、必ずしも両外壁フレーム２２に設けられた連結ブラケット３１を併用する必要はない。但し、盤木６０の支持スパンの担保や荷重分散機能に着目した場合、各外壁フレーム２２の連結ブラケット３１を併用することが好ましい。
【０１００】
（１２）パレットＰの上に盤木６０を配置し、その上に外壁フレーム２２を積載したが、盤木６０をトラックや台車等の輸送手段の荷台に直接配置して、その上に外壁フレーム２２を積載してもよい。
【符号の説明】
【０１０１】
１０…建物、１１…外壁、１２…窓部、１３…建物躯体、１４…大梁、１５…外壁部、２１…外壁面材、２２…外壁フレーム、２５…縦フレーム部材、２７…横フレーム部材、３１…連結部としての連結ブラケット、３３…固定具としてのボルト、４１…平面部としての平板部、４２…突出部としての折曲部、５０…第１治具としての治具、５２…支持部としての載置部、５３…係合部、５４…突出部分としての突出部、５８…固定具としてのボルト、６０…第２治具としての盤木、６１…凸部。
【図１】
2015132057.tif 000003
【図２】
2015132057.tif 000004
【図３】
2015132057.tif 000005
【図４】
2015132057.tif 000006
【図５】
2015132057.tif 000007